(57)【特許請求の範囲】
【請求項１】
カラオケ曲を演奏する歌唱時カラオケ演奏手段と、
同一曲の歌唱音声を複数録音する歌唱録音手段と、
歌唱音声の所定の区間毎に、前記複数の録音から１つを選択するテイク選択手段と、
各区間毎に選択した録音をつないで歌唱音声を再構成する再構成手段と、
を備えたカラオケ装置。
【請求項２】
歌唱の巧拙を採点する採点手段を備え、
テイク選択手段は、前記歌唱音声の所定の区間毎に、その区間において採点結果の最も良い録音を選択する手段である請求項１に記載のカラオケ装置。
【請求項３】
再構成された歌唱音声を再生する歌唱再生手段と、
この歌唱音声と同期してカラオケ曲を演奏する録音時カラオケ演奏手段と、
該歌唱音声とカラオケ曲の演奏をミキシングして録音するレコーディング手段と、
を備え、
歌唱時カラオケ演奏手段は、演奏音とともにガイドメロディまたは模範歌唱を発生する手段であり、録音時カラオケ演奏手段は、演奏音のみを発生する手段である請求項１または請求項２に記載のカラオケ装置。
【請求項４】
歌唱録音手段は、エコーなどのエフェクトが付与されていない歌唱音声を録音する手段であり、レコーディング手段は、エフェクトを付与された歌唱音声を録音する手段である請求項３に記載のカラオケ装置。
【発明の詳細な説明】
【０００１】
【発明の属する技術分野】
この発明は、歌唱者の歌唱をレコーディングすることのできるカラオケ装置に関する。
【０００２】
【従来の技術】
カラオケ装置は、カラオケ曲を演奏して歌唱者がこれを歌唱するための装置であるが、一部のカラオケ装置には、これをＣＤなどに録音する装置を付属させたものがある。
【０００３】
【発明が解決しようとする課題】
しかし、従来の録音機能は、歌唱者の歌唱を直接録音するいわゆる一発勝負のものであったため、歌唱者が失敗してもそのまま録音されてしまうという問題点があった。
【０００４】
この発明は、歌唱者のベストの歌唱を録音することができるカラオケ装置を提供することを目的とする。
【０００５】
【課題を解決するための手段】
請求項１の発明は、カラオケ曲を演奏する歌唱時カラオケ演奏手段と、同一曲の歌唱音声を複数録音する歌唱録音手段と、歌唱音声の所定の区間毎に、前記複数の録音から１つを選択するテイク選択手段と、各区間毎に選択した録音をつないで歌唱音声を再構成する再構成手段と、を備えたことを特徴とする。
【０００６】
請求項２の発明は、請求項１の発明において、歌唱の巧拙を採点する採点手段を備え、テイク選択手段は、前記歌唱音声の所定の区間毎に、その区間において採点結果の最も良い録音を選択する手段であることを特徴とする。
【０００７】
請求項３の発明は、請求項１または請求項２の発明において、再構成された歌唱音声を再生する歌唱再生手段と、この歌唱音声と同期してカラオケ曲を演奏する録音時カラオケ演奏手段と、該歌唱音声とカラオケ曲の演奏をミキシングして録音するレコーディング手段と、を備え、
歌唱時カラオケ演奏手段は、演奏音とともにガイドメロディまたは模範歌唱を発生する手段であり、録音時カラオケ演奏手段は、演奏音のみを発生する手段であることを特徴とする。
【０００８】
請求項４の発明は、請求項３の発明において、歌唱録音手段は、エコーなどのエフェクトが付与されていない歌唱音声を録音する手段であり、レコーディング手段は、エフェクトを付与された歌唱音声を録音する手段であることを特徴とする。
【０００９】
【発明の実施の形態】
図面を参照してこの発明の実施形態について説明する。図１はこの発明のカラオケ装置の録音モード時のブロック図である。図２は同カラオケ装置の編集／再生モード時のブロック図である。図３は同カラオケ装置のメディア書込モード時のブロック図である。すなわち、この発明のカラオケ装置は、通常の演奏モード機能のほか、レコーディング機能を備え、レコーディング時には、録音モード、編集／再生モード、メディア書込モードと順次進行する。
【００１０】
図１において、シーケンサ２は、カラオケ曲データ１をテンポに従って読み出し、このデータを音源３に入力する。音源３はこのデータに基づいて楽音を発生する。発生した楽音はアンプ９に入力される。アンプ９に入力されたカラオケ曲の楽音はヘッドホン１０から出力される。すなわち、レコーディング機能の録音モード時には、マイク６から歌唱音声のみを入力し、演奏音が回り込まないようにするため演奏音等はヘッドホン１０から出力される。歌唱者はこのヘッドホン１０を耳にセットし、マイク６に向かって歌唱する。
【００１１】
なお、カラオケ曲データは音源３にカラオケ演奏の楽音を発生するための楽音トラックのほかカラオケ歌唱のガイドメロディを発生するためのガイドメロディトラック、カラオケ曲のフレーズ切の切れ目を示すフレーズデータトラックを有している。録音モード時にシーケンサ２は楽音トラック、ガイドメロディトラックおよびフレーズデータトラックを読み出し、音源３に対して楽音トラック、ガイドメロディトラックのデータを入力することによってカラオケ曲を演奏する。音源３はカラオケ演奏の楽音、ガイドメロディの両方を発生する。したがって、歌唱者はヘッドホンからカラオケ演奏音に加えてガイドメロディを聴きながら歌唱することができる。
【００１２】
なお、歌唱者の選択によりガイドメロディを読み出さない（ガイドメロディを発生させない）ようにすることもできる。
【００１３】
また、歌唱用のマイク６は、ハンドマイクよりもノイズの発生しにくいスタンドマイクまたはつり下げマイクにすればよい。
【００１４】
マイク６から入力された歌唱音声はエフェクタ７によってエコーなどの適当なエフェクトが付与されたのちアンプ９に入力され、ヘッドホン１０から出力される。また、この歌唱音声は採点部８および録音部４にも入力される。
【００１５】
録音部４はこの歌唱音声を歌唱記憶部５に記憶する。歌唱記憶部５は同じカラオケ曲の歌唱を３回まで録音することができる。各歌唱は、テイク１，テイク２，テイク３として記憶される。このように歌唱記憶部５に記憶される歌唱音声は、全くエフェクトが付与されていないドライ音であり、各テイク間の歌唱の比較や編集が容易である。
【００１６】
一方、シーケンサ２は、カラオケ演奏時にフレーズデータやカラオケ曲の演奏と歌唱の同期をとるためのコードであるタイムコードを録音部４に入力するとともに、前記ガイドメロディデータを採点用のリファレンスデータとして採点部８に入力する。採点部８は入力された歌唱音声をリファレンスデータと比較することによって歌唱を採点する。この採点部８の採点機能は従来より一般的であるピッチ，音量，リズムの３点について採点すようにすればよい。この技術については特願平８−２３３１８９、特願平８−２３３１９０に詳細に記載されている。採点結果であるポイントデータは録音部４に入力される。録音部４は、タイムコード，フレーズデータ，ポイントデータを歌唱音声とともに記録する。録音モードでは同じカラオケ曲を３回連続して演奏し、そのときの歌唱音声をテイク１，２，３として録音する。
【００１７】
録音モードによる３回の録音が終了したのち、編集／再生モードに移行するが、編集／再生モードに移行するまえに録音した歌唱を任意にプレイバックできるようにしてもよい。このプレイバックで歌唱者が自分の耳でどのテイクが一番いいかを確認することも可能になる。
【００１８】
編集／再生モード時には、録音モードで記録した歌唱（テイク１〜テイク３）からフレーズ毎にベストのテイクを選択してこれをつなぎレコーディングテイクを作成する。図２において、シーケンサ２は、録音モード時と同様のカラオケ曲データ１を読み出して音源３に入力する。ただし、録音モード時はガイドメロディトラックのデータも一緒に読み出すが、この編集／再生モードおよびメディア記録モードにおいてはガイドメロディトラックは読み出さず伴奏のトラックのみを読み出す。音源３はこのデータに基づいて楽音を発生する。発生した楽音はアンプ９に入力される。
【００１９】
シーケンサ２は、カラオケ曲の演奏と並行して選択読出部１１に対してタイムコードを出力する。選択読出部１１は、このタイムコードに同期して歌唱音声（テイク１〜３のいずれか）を読み出すが、フレーズ毎に採点結果のポイントが最も高いテイクをベストテイクとして選択し、これを読み出す。
【００２０】
選択の状態を図４に示す。このようにフレーズの境目でテイクが切り換わる場合には、クロスフェードで切り換えて歌唱音声の波形が不連続にならないようにする。このようにして合成されたレコーディングテイクの歌唱音声は再生部１２および録音部１３に入力される。再生部１２はこのレコーディングテイクの歌唱音声をオーディオ信号に復調してエフェクタ７に入力する。エフェクタ７はこの歌唱音声に適当なエフェクトを付与したのちアンプ９に入力する。アンプ９はこの歌唱音声とカラオケ演奏音をミキシングしてスピーカ１７から出力する。
【００２１】
また録音部１３は入力されたレコディングテイクの歌唱音声をレコーディングテイク記憶部１４に記憶する。
【００２２】
なお、選択読出部１１は、フレーズ毎のテイクの選択を採点結果のポイントに基づいて行っているが、歌唱者が操作部１５を操作してテイクを指定した場合にはポイントにかかわらずそのテイクを選択する。テイクの指定方式は、たとえば以下のようである。
【００２３】
録音モード終了後、編集／再生モードをスタートするまでの間に各テイクをプレイバックする。歌唱者は、このプレイバックを聴きながら巧く歌えていると考えたところで選択ボタンを押す。ボタンが押されると、ボタンオン情報を再生中のテイクのそのときのフレーズのポイント情報に書き加える。編集／再生モードにおいては、各テイクを選択するとき、各テイクのポイントを比較する場面でボタンオン情報があればそのテイクを優先的に選択する。
【００２４】
この実施形態において、楽曲データに予めフレーズの区切りを示すデータが書き込まれているが、フレーズの区切りの判断は、ガイドメロディデータの示す歌唱音量の変化で判断するようにしてもよく、機械的に一定時間毎に区切るようにしてもよい。ただし、歌唱の切れ目で区切ったほうがテイクをつなぐときに自然につなぐことができる。
【００２５】
図３はメディア書込モード時の機能ブロック図である。このレコーディングテイクとして記録された歌唱音声をＣＤやＭＤなどのメディアに書き込むモードである。シーケンサ２は、カラオケ曲データ１を読み出して音源３に入力する。このとき読み出されるデータは楽音トラックのデータのみである。音源３はこのデータに基づいてカラオケ演奏の楽音を発生する。上述したようにガイドメロディ音は発生しない。発生した楽音はアンプ９に入力される。
【００２６】
一方、読出再生部２０はシーケンサ２からタイムコードを入力し、このタイムコードに同期してレコーディングテイク記憶部１４からレコーディングテイクを読み出し、これをオーディオ信号に復調する。この歌唱音声はエフェクタ７に入力される。エフェクタ７はこの歌唱音声にエコーなどの適当なエフェクトを付与したのちこれをアンプ９に入力する。アンプ９はこの歌唱音声とカラオケ演奏音をミキシングしてスピーカ１０から出力するとともに、このミキシング音をメディア書込部２１に出力する。メディア書込部２１は、このオーディオ信号をメディアに適したデータに変換してセットされているメディアに書き込む。
【００２７】
これにより、ガイドメロディのない演奏に適当なエフェクトが付与されたベストテイクの歌唱をミキシングしてＣＤやＭＤなどのメディアに録音することができる。
【００２８】
上記実施形態では、テイクの録音時に採点を行っているが、これとは別の機会に各テイクの採点を行うようにしてもよく、また、編集／再生モード時に先読みして採点を行うようにしてもよい。
【００２９】
また、カラオケ曲データに書き込まれているガイドメロディトラックに代えて模範歌唱を（ディジタル化された）オーディオ信号として記憶しておくようにしてもよい。
【００３０】
【発明の効果】
請求項１の発明によれば、同じカラオケ曲を複数回録音して区間（フレーズ）毎に最もよい録音を選択してそれをつないで１つの歌唱音声を再構成することができるため、いわゆる一発勝負でないベストの録音をすることができる。
【００３１】
請求項２の発明によれば、採点手段で歌唱の巧拙を採点し、採点結果の最も良い録音を選択することにより、自動的にベスト歌唱を再構成することができる。
【００３２】
請求項３によれば、歌唱時にはガイドメロディ等があり歌唱しやすいカラオケ演奏を行い、最後のレコーディング時にはガイドメロディがなく歌唱が引き立つカラオケ演奏を行うことにより、より巧く聞こえる録音を可能にした。
【００３３】
請求項４の発明によれば、最初の録音（テイク）時には、巧拙が判断しやすく編集しやすいエフェクトのないドライの歌唱音声を録音し、最後のレコーディング時にはエフェクトを付与された歌唱音声を録音するようにしたことにより、選択・編集を容易にするとともに、より巧く聞こえる録音を可能にした。
【図面の簡単な説明】
【図１】この発明の実施形態であるカラオケ装置の機能ブロック図
【図２】同カラオケ装置の機能ブロック図
【図３】同カラオケ装置の機能ブロック図
【図４】ベストテイク作成の方式を説明する図
【符号の説明】
１…曲データ、２…シーケンサ、３…音源、４…録音部、５…記憶部、６…歌唱用マイク、７…エフェクタ、８…アンプ、
１４…再生部、１６…選択装置、２０…ピッチ抽出部、２１…セレクタ、２２…録音部、２３…記憶部、２５…ＭＤ録音部
【図１】
0003978909.tif 000002
【図２】
0003978909.tif 000003
【図３】
0003978909.tif 000004
【図４】
0003978909.tif 000005